(57)【要約】【課題】モデル情報の可視化に際し、選択された部分に対する操作を可能とする。【解決手段】モデル情報に基づいて、モデルを表示部に表示し、前記モデルの一部の選択を受け付け、前記モデルの表示を維持しつつ、前記モデルのうち選択された前記一部のみを表示するウィンドウを表示し、前記ウィンドウ内に表示された前記一部について、表示された前記モデルと独立した操作を受け付け、前記ウィンドウ内に表示された前記一部について、前記操作に応じた表示を行う、処理をコンピュータに実行させる。【選択図】図２
2018147036.tif 000002
【特許請求の範囲】
【請求項１】
モデル情報に基づいて、モデルを表示部に表示し、
前記モデルの一部の選択を受け付け、
前記モデルの表示を維持しつつ、前記モデルのうち選択された前記一部のみを表示するウィンドウを表示し、
前記ウィンドウ内に表示された前記一部について、表示された前記モデルと独立した操作を受け付け、
前記ウィンドウ内に表示された前記一部について、前記操作に応じた表示を行う、
処理をコンピュータに実行させることを特徴とする表示制御プログラム。
【請求項２】
前記モデルは、メッシュ表現される、
ことを特徴とする請求項１に記載の表示制御プログラム。
【請求項３】
前記操作は、前記一部を移動、又は、回転、又は、拡縮させる操作を含む、
ことを特徴とする請求項１に記載の表示制御プログラム。
【請求項４】
前記ウィンドウに前記一部が表示されている際に、表示された前記モデルの他の一部の選択を受け付ける、
ことを特徴とする請求項１に記載の表示制御プログラム。
【請求項５】
前記ウィンドウに表示された前記一部のうち、他の一部の選択を受け付け、
前記モデル及び前記一部の表示を維持しつつ、前記モデルのうち選択された前記他の一部のみを表示するウィンドウを表示し、
表示された前記他の一部について、表示された前記モデル及び前記一部と独立した操作を受け付け、
表示された前記他の一部について、前記他の一部に対する操作に応じた表示を行う、
ことを特徴とする請求項１に記載の表示制御プログラム。
【請求項６】
モデル情報に基づいて、モデルを表示部に表示し、
前記モデルの一部の選択を受け付け、
前記モデルの表示を維持しつつ、前記モデルのうち選択された前記一部のみを表示するウィンドウを表示し、
前記ウィンドウ内に表示された前記一部について、表示された前記モデルと独立した操作を受け付け、
前記ウィンドウ内に表示された前記一部について、前記操作に応じた表示を行う、
処理を実行する機能を備えることを特徴とする表示制御装置。
【請求項７】
モデル情報に基づいて、モデルを表示部に表示し、
前記モデルの一部の選択を受け付け、
前記モデルの表示を維持しつつ、前記モデルのうち選択された前記一部のみを表示するウィンドウを表示し、
前記ウィンドウ内に表示された前記一部について、表示された前記モデルと独立した操作を受け付け、
前記ウィンドウ内に表示された前記一部について、前記操作に応じた表示を行う、
処理をコンピュータが実行することを特徴とする表示制御方法。
【発明の詳細な説明】
【技術分野】
【０００１】
本発明は、表示制御プログラム、表示制御装置及び表示制御方法に関する。
【背景技術】
【０００２】
ＣＡＥ（Computer Aided Engineering）の分野において、大規模なシミュレーションを可能にするＨＰＣ（High Performance Computing）や計算ソルバーの技術が徐々に普及してきており、一部のユーザではすでに大規模計算が行われている。
【０００３】
大規模シミュレーション結果の有効な活用において可視化が重要となるが、単体のＰＣ端末で無理に可視化が試みられる場合、モデルの読み込みがたとえ成功したとしても、回転や移動・ズーム機能などの動作が重たくなり、全く使えないという事例が多発している。
【０００４】
従来、大規模シミュレーション結果の可視化手法として、データの間引きや簡略化、分散並列技術等が挙げられているが、これらは、ユーザのハード環境に依存するところが大きく、クラスタ環境などを持たない中小企業ユーザでは特に難しい。
【０００５】
一方、蓄積されたデータの表示に関する技術が開示されている（例えば、特許文献１〜３等）。
【先行技術文献】
【特許文献】
【０００６】
【特許文献１】特開平８−１１５３５４号公報
【特許文献２】特開昭６４−３３６７６号公報
【特許文献３】特開２００１−２２６０７号公報
【発明の概要】
【発明が解決しようとする課題】
【０００７】
上述したように、大規模シミュレーション結果のモデル情報の可視化に際し、特別なハード環境を持たないユーザは表示されたモデルに対して十分な操作を行うことができず、その解決が待たれている。
【０００８】
そこで、一側面では、モデル情報の可視化に際し、選択された部分に対する操作を可能とすることを目的とする。
【課題を解決するための手段】
【０００９】
一つの形態では、モデル情報に基づいて、モデルを表示部に表示し、前記モデルの一部の選択を受け付け、前記モデルの表示を維持しつつ、前記モデルのうち選択された前記一部のみを表示するウィンドウを表示し、前記ウィンドウ内に表示された前記一部について、表示された前記モデルと独立した操作を受け付け、前記ウィンドウ内に表示された前記一部について、前記操作に応じた表示を行う、処理をコンピュータに実行させる。
【発明の効果】
【００１０】
モデル情報の可視化に際し、選択された部分に対する操作が可能となる。
【図面の簡単な説明】
【００１１】
【図１】一実施形態にかかるシステムの構成例を示す図である。
【図２】表示制御部の機能構成例を示す図である。
【図３】モデル情報のデータ構造例を示す図である。
【図４】端末装置及びサーバ装置のハードウェア構成例を示す図である。
【図５】実施形態の処理例を示すフローチャート（その１）である。
【図６】画面例を示す図（その１）である。
【図７】画面例を示す図（その２）である。
【図８】画面例を示す図（その３）である。
【図９】画面例を示す図（その４）である。
【図１０】実施形態の処理例を示すフローチャート（その２）である。
【図１１】実施形態の処理例を示すフローチャート（その３）である。
【発明を実施するための形態】
【００１２】
以下では本発明の好適な実施形態が図面に沿って説明される。
【００１３】
＜構成＞
図１は一実施形態にかかるシステムの構成例を示す図である。図１（ａ）は表示制御にかかる主たる処理が端末装置１で行われる場合を示しており、ＰＣ（Personal Computer）等の端末装置１には表示制御部７が設けられている。可視化の対象となるモデル情報は、記憶媒体２から読み込まれるか、ネットワーク３を介してデータライブラリ４から読み込まれる。
【００１４】
図１（ｂ）は、いわゆるクラウドとして表示制御にかかる主たる処理がサーバ装置５で行われる場合を示しており、端末装置１には操作入力および画面表示を行うユーザインタフェース６が設けられ、サーバ装置５には表示制御部７が設けられている。可視化の対象となるモデル情報は、記憶媒体２から端末装置１に読み込まれてサーバ装置５に送信されるか、端末装置１の指定でデータライブラリ４からネットワーク３を介してサーバ装置５に読み込まれる。モデル情報は、データライブラリ４からネットワーク３を介して端末装置１に読み込まれた後に、端末装置１からサーバ装置５に送信されるようにしてもよい。
【００１５】
図２は端末装置１又はサーバ装置５に設けられる表示制御部７の機能構成例を示す図である。図２において、表示制御部７は、モデル情報読込部７０１と全体モデル情報７０２と表示データ調整部７０３と全体モデル表示部７０４と全体表示データ７０５と回転操作受付部７０６とを備えている。また、表示制御部７は、部分選択受付部７０７と別ウインドウ生成部７０８とデータ抽出部７０９と部分モデル情報７１０と表示データ調整部７１１と部分モデル表示部７１２と部分表示データ７１３と操作受付部７１４とを備えている。また、表示制御部７は、終了操作・エクスポート指示受付部７１５と全体モデル反映部７１６と反映後全体モデル情報７１７とエクスポート部７１８とを備えている。
【００１６】
モデル情報読込部７０１は、可視化の対象となるモデル情報（全体モデル情報）を読み込み、全体モデル情報７０２として管理下の記憶領域に保持する機能を有している。表示データ調整部７０３は、全体モデル情報７０２の情報量に応じて表示サイズを調整するとともに、データの間引き等の情報量の削減を行う機能を有している。全体モデル表示部７０４は、表示データ調整部７０３による調整後の全体モデル情報に基づいて全体モデルを表示する機能を有している。表示のためのデータ（レンダリング等が行われたデータ）は全体表示データ７０５として管理下の記憶領域に保持される。回転操作受付部７０６は、表示された全体モデルに対してユーザから回転操作を受け付ける機能を有している。回転操作が行われた場合、全体モデル表示部７０４は回転された状態での全体モデルの再表示を行う。
【００１７】
部分選択受付部７０７は、表示された全体モデルに対して詳細な操作を行うための部分の選択をユーザから受け付ける機能を有している。部分の選択は、例えば、矩形領域の指定により行われる。別ウインドウ生成部７０８は、全体モデルのウインドウとは別の、選択された部分を表示するためのウインドウを生成する機能を有している。データ抽出部７０９は、ユーザにより選択された部分のモデル情報（部分モデル情報）を全体モデル情報７０２から抽出し、部分モデル情報７１０として管理下の記憶領域に保持する機能を有している。表示データ調整部７１１は、部分モデル情報７１０の情報量に応じて表示サイズを調整するとともに、データの間引き等の情報量の削減を行う機能を有している。なお、部分モデル情報７１０は全体モデル情報７０２に比して情報量は少なくなるため、ほとんどの場合において実質的な調整は行われないことが期待される。部分モデル表示部７１２は、表示データ調整部７１１による調整後の部分モデル情報に基づいて部分モデルを表示する機能を有している。表示のためのデータ（レンダリング等が行われたデータ）は部分表示データ７１３として管理下の記憶領域に保持される。
【００１８】
操作受付部７１４は、表示された部分モデルに対してユーザから種々の操作を受け付ける機能を有している。操作としては、移動、回転、又は、拡縮（拡大、縮小）が含まれる。また、操作受付部７１４は、表示上の操作だけではなく、モデル各部の変形やコメント付与等の編集操作も受け付けることができる。操作が行われた場合、部分モデル表示部７１２は部分モデルの再表示を行う。なお、部分モデル表示部７１２は、部分モデルに対する編集操作が行われた場合には、部分モデル情報７１０に編集内容を反映する。
【００１９】
終了操作・エクスポート指示受付部７１５は、可視化の終了操作やエクスポート指示をユーザから受け付ける機能を有している。全体モデル反映部７１６は、ユーザからエクスポート指示が行われた場合に、全体モデル情報７０２に部分モデル情報７１０を反映した反映後全体モデル情報７１７を生成する機能を有している。エクスポート部７１８は、反映後全体モデル情報７１７を外部に出力する機能を有している。
【００２０】
図３はモデル情報（全体モデル情報７０２、部分モデル情報７１０）のデータ構造例を示す図である。図３（ａ）に示されるように、モデル情報は、テトラ要素（四面体）やヘキサ要素（六面体）であるエレメントを識別するエレメントＩＤと、そのエレメントの角点となるノードを識別する複数のノードＩＤとを含んでいる。また、ノードＩＤには、ノードのｘ座標、ｙ座標、ｚ座標が対応付けられている。図３（ｂ）は、ノードＮ１〜Ｎ４で囲まれるエレメントＥ１を示しており、可視化の対象の物体は複数（多数）のエレメントによるメッシュにより表現（メッシュ表現）される。
【００２１】
図４は端末装置１及びサーバ装置５のハードウェア構成例を示す図である。図４において、端末装置１等は、システムバス１０１に接続されたＣＰＵ（Central Processing Unit）１０２、ＲＯＭ（Read Only Memory）１０３、ＲＡＭ（Random Access Memory）１０４、ＮＶＲＡＭ（Non-Volatile Random Access Memory）１０５を備えている。また、端末装置１等は、Ｉ／Ｆ（Interface）１０６と、Ｉ／Ｆ１０６に接続された、Ｉ／Ｏ（Input/Output Device）１０７、ＨＤＤ（Hard Disk Drive）／ＳＳＤ（Solid State Drive）１０８、ＮＩＣ（Network Interface Card）１０９とを備えている。また、端末装置１等は、Ｉ／Ｏ１０７に接続されたモニタ１１０、キーボード１１１、マウス１１２等を備えている。Ｉ／Ｏ１０７にはＣＤ／ＤＶＤ（Compact Disk/Digital Versatile Disk）ドライブ等を接続することもできる。
【００２２】
端末装置１等の機能（図１）は、ＣＰＵ１０２において所定のプログラムが実行されることで実現される。プログラムは、記録媒体を経由して取得されるものでもよいし、ネットワークを経由して取得されるものでもよいし、ＲＯＭ組込でもよい。
【００２３】
＜動作＞
図５は上記の実施形態の処理例を示すフローチャートである。図５において、処理を開始すると、表示制御部７のモデル情報読込部７０１は、可視化の対象となるモデル情報（全体モデル情報）を読み込み、全体モデル情報７０２として管理下の記憶領域に保持する（ステップＳ１１）。
【００２４】
次いで、表示データ調整部７０３は、全体モデル情報７０２の情報量に応じて表示サイズを調整するとともにデータの間引き等の情報量の削減を行い、全体モデル表示部７０４は、調整後の全体モデル情報７０２に基づいて全体モデルを表示する（ステップＳ１２）。図６は、ウインドウＷ１内に自動車のボディの対象ＯＢ１が表示された例を示しており、画面全体に対して小さい表示サイズで表示されている。
【００２５】
図５に戻り、次いで、回転操作受付部７０６は、表示された全体モデルに対してユーザから回転操作を受け付けると（ステップＳ１３）、全体モデル表示部７０４は全体モデルの再表示（回転が行われた状態での表示）を行う（ステップＳ１２）。表示されている全体モデルは、情報量が削減されているため、回転操作については問題なく実施が行われる。
【００２６】
その後、部分選択受付部７０７は、表示された全体モデルに対して詳細な操作を行うための部分の選択をユーザから受け付ける（ステップＳ１４）。図７はウインドウＷ１内に表示された対象ＯＢ１から枠Ｆにより部分が選択された状態を示している。３次元的には、矩形状の枠Ｆを奥行き方向に貫通させた場合の枠内の空間に入る部分が選択されることを意味する。
【００２７】
図５に戻り、次いで、別ウインドウ生成部７０８は、全体モデルのウインドウとは別の、選択された部分を表示するためのウインドウを生成（起動）する（ステップＳ１５）。
【００２８】
次いで、データ抽出部７０９は、ユーザにより選択された部分のモデル情報（部分モデル情報）を全体モデル情報７０２から抽出し、表示データ調整部７１１は必要に応じて情報量の調整を行う。なお、部分モデル情報７１０は全体モデル情報７０２に比して情報量は少なくなるため、ほとんどの場合において実質的な調整は行われないことが期待される。そして、部分モデル表示部７１２は、表示データ調整部７１１による調整後（調整不要の場合を含む）の部分モデル情報７１０に基づいて部分モデルを表示する（ステップＳ１６）。部分モデル情報の抽出は、例えば、選択された部分の３次元範囲にノードの座標（図３）が含まれるエレメントの情報が全体モデル情報７０２から抽出されることで行われる。この場合、選択された３次元範囲に全てのノードが含まれるエレメントが抽出されるようにしてもよいし、いずれかのノードが含まれるエレメントが抽出されるようにしてもよい。図８は、全体モデルを表示するウインドウＷ１とは別のウインドウＷ２に、枠Ｆにより選択された部分の対象ＯＢ２が表示された状態を示している。
【００２９】
図５に戻り、その後、操作受付部７１４が、表示された部分モデルに対してユーザから種々の操作を受け付けると（ステップＳ１７）、部分モデル表示部７１２は部分モデルの再表示を行う（ステップＳ１６）。操作としては、移動、回転、又は、拡縮（拡大、縮小）が含まれるほか、モデル各部の変形やコメント付与等の編集操作も含まれる。部分モデルに対する編集操作が行われた場合、部分モデル表示部７１２は部分モデル情報７１０に編集内容の反映を行う。
【００３０】
その後、終了操作・エクスポート指示受付部７１５が、可視化の終了操作やエクスポート指示をユーザから受け付けると（ステップＳ１８）、全体モデル反映部７１６は、全体モデル情報７０２に部分モデル情報７１０を反映して反映後全体モデル情報７１７を生成する。そして、エクスポート部７１８は、反映後全体モデル情報７１７を外部に出力する（ステップＳ１９）。
【００３１】
また、ユーザは、現時点で操作していた部分の終了操作を行い、新たに全体モデルから部分選択を行い（ステップＳ１４）、選択された部分に対して上述したのと同様の操作を行うことができる。ここでは、現時点で操作していた部分の終了操作により、それまでの部分モデルのウインドウはクローズされるものとする。ウインドウが追加されていく例については後述される。
【００３２】
また、図９に示されるように、全体モデルを表示するウインドウＷ１をより小さいものとして、全体モデルの表示に対する処理の負荷を小さくするとともに、選択部分のウインドウＷ２が広くとれるようにすることもできる。ウインドウＷ１は当初から図示のサイズで表示されるようにしてもよいし、当初から部分の選択が行われるまでは図６又は図７のサイズで表示され、ウインドウＷ２の表示に際して小さいサイズに変更されるようにしてもよい。
【００３３】
図１０は実施形態の他の処理例を示すフローチャートであり、複数の部分モデルが並行して表示され、それぞれについて並行して操作が行われるようにしたものである。
【００３４】
図１０において、処理を開始すると、表示制御部７のモデル情報読込部７０１は、可視化の対象となるモデル情報（全体モデル情報）を読み込み、全体モデル情報７０２として管理下の記憶領域に保持する（ステップＳ１１）。
【００３５】
次いで、表示データ調整部７０３は、全体モデル情報７０２の情報量に応じて表示サイズを調整するとともにデータの間引き等の情報量の削減を行い、全体モデル表示部７０４は、調整後の全体モデル情報７０２に基づいて全体モデルを表示する（ステップＳ１２）。
【００３６】
次いで、回転操作受付部７０６は、表示された全体モデルに対してユーザから回転操作を受け付けると（ステップＳ１３）、全体モデル表示部７０４は全体モデルの再表示（回転が行われた状態での表示）を行う（ステップＳ１２）。
【００３７】
その後、部分選択受付部７０７は、表示された全体モデルに対して詳細な操作を行うための部分の選択をユーザから受け付ける（ステップＳ１４）。
【００３８】
次いで、別ウインドウ生成部７０８は、全体モデルのウインドウとは別の、選択された部分を表示するためのウインドウを生成（起動）する（ステップＳ１５）。
【００３９】
次いで、データ抽出部７０９は、ユーザにより選択された部分のモデル情報（部分モデル情報）を全体モデル情報７０２から抽出し、表示データ調整部７１１は必要に応じて情報量の調整を行う。そして、部分モデル表示部７１２は、表示データ調整部７１１による調整後（調整不要の場合を含む）の部分モデル情報７１０に基づいて部分モデルを表示する（ステップＳ１６）。
【００４０】
その後、操作受付部７１４が、表示された部分モデルに対してユーザから種々の操作を受け付けると（ステップＳ１７）、部分モデル表示部７１２は部分モデルの再表示を行う（ステップＳ１６）。
【００４１】
一方、上記の処理と並行して、部分選択受付部７０７は、表示された全体モデルに対して詳細な操作を行うための部分の選択をユーザから受け付ける（ステップＳ１４−２）。
【００４２】
次いで、別ウインドウ生成部７０８は、全体モデルのウインドウ及び既に表示さている部分モデルのウインドウとは別の、新たに選択された部分を表示するためのウインドウを生成（起動）する（ステップＳ１５−２）。
【００４３】
次いで、データ抽出部７０９は、ユーザにより選択された部分のモデル情報（部分モデル情報）を全体モデル情報７０２から抽出し、表示データ調整部７１１は必要に応じて情報量の調整を行う。そして、部分モデル表示部７１２は、表示データ調整部７１１による調整後（調整不要の場合を含む）の部分モデル情報７１０に基づいて部分モデルを表示する（ステップＳ１６−２）。
【００４４】
その後、操作受付部７１４が、表示された部分モデルに対してユーザから種々の操作を受け付けると（ステップＳ１７−２）、部分モデル表示部７１２は部分モデルの再表示を行う（ステップＳ１６−２）。これらの追加的な選択は、更に繰り返しが可能である。
【００４５】
その後、終了操作・エクスポート指示受付部７１５が、可視化の終了操作やエクスポート指示をユーザから受け付けると（ステップＳ１８）、全体モデル反映部７１６は、全体モデル情報７０２に部分モデル情報７１０を反映して反映後全体モデル情報７１７を生成する。そして、エクスポート部７１８は、反映後全体モデル情報７１７を外部に出力する（ステップＳ１９）。
【００４６】
図１１は実施形態の他の処理例を示すフローチャートであり、表示された部分モデルから更に部分を選択可能としたものである。また、図１０に示した処理と組み合わせることもできる。
【００４７】
図１１において、処理を開始すると、表示制御部７のモデル情報読込部７０１は、可視化の対象となるモデル情報（全体モデル情報）を読み込み、全体モデル情報７０２として管理下の記憶領域に保持する（ステップＳ１１）。
【００４８】
次いで、表示データ調整部７０３は、全体モデル情報７０２の情報量に応じて表示サイズを調整するとともにデータの間引き等の情報量の削減を行い、全体モデル表示部７０４は、調整後の全体モデル情報７０２に基づいて全体モデルを表示する（ステップＳ１２）。
【００４９】
次いで、回転操作受付部７０６は、表示された全体モデルに対してユーザから回転操作を受け付けると（ステップＳ１３）、全体モデル表示部７０４は全体モデルの再表示（回転が行われた状態での表示）を行う（ステップＳ１２）。
【００５０】
その後、部分選択受付部７０７は、表示された全体モデルに対して詳細な操作を行うための部分の選択をユーザから受け付ける（ステップＳ１４）。
【００５１】
次いで、別ウインドウ生成部７０８は、全体モデルのウインドウとは別の、選択された部分を表示するためのウインドウを生成（起動）する（ステップＳ１５）。
【００５２】
次いで、データ抽出部７０９は、ユーザにより選択された部分のモデル情報（部分モデル情報）を全体モデル情報７０２から抽出し、表示データ調整部７１１は必要に応じて情報量の調整を行う。そして、部分モデル表示部７１２は、表示データ調整部７１１による調整後（調整不要の場合を含む）の部分モデル情報７１０に基づいて部分モデルを表示する（ステップＳ１６）。
【００５３】
その後、操作受付部７１４が、表示された部分モデルに対してユーザから種々の操作を受け付けると（ステップＳ１７）、部分モデル表示部７１２は部分モデルの再表示を行う（ステップＳ１６）。
【００５４】
その後、部分選択受付部７０７は、表示された部分モデルに対して詳細な操作を行うための部分の選択をユーザから更に受け付ける（ステップＳ１４−３）。
【００５５】
次いで、別ウインドウ生成部７０８は、全体モデルのウインドウ及び既に表示されている部分モデルのウインドウとは別の、選択された部分を表示するためのウインドウを生成（起動）する（ステップＳ１５−３）。
【００５６】
次いで、データ抽出部７０９は、ユーザにより選択された部分のモデル情報（部分モデル情報）を全体モデル情報７０２から抽出し、表示データ調整部７１１は必要に応じて情報量の調整を行う。そして、部分モデル表示部７１２は、表示データ調整部７１１による調整後（調整不要の場合を含む）の部分モデル情報７１０に基づいて部分モデルを表示する（ステップＳ１６−３）。
【００５７】
その後、操作受付部７１４が、表示された部分モデルに対してユーザから種々の操作を受け付けると（ステップＳ１７−３）、部分モデル表示部７１２は部分モデルの再表示を行う（ステップＳ１６−３）。これらの追加的な選択は、更に繰り返しが可能である。
【００５８】
その後、終了操作・エクスポート指示受付部７１５が、可視化の終了操作やエクスポート指示をユーザから受け付けると（ステップＳ１８）、全体モデル反映部７１６は、全体モデル情報７０２に部分モデル情報７１０を反映して反映後全体モデル情報７１７を生成する。そして、エクスポート部７１８は、反映後全体モデル情報７１７を外部に出力する（ステップＳ１９）。
【００５９】
＜総括＞
以上説明したように、本実施形態によれば、モデル情報の可視化に際し、選択された部分に対する操作が可能となる。
【００６０】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００６１】
以上の説明に関し、更に以下の項を開示する。
（付記１）
モデル情報に基づいて、モデルを表示部に表示し、
前記モデルの一部の選択を受け付け、
前記モデルの表示を維持しつつ、前記モデルのうち選択された前記一部のみを表示するウィンドウを表示し、
前記ウィンドウ内に表示された前記一部について、表示された前記モデルと独立した操作を受け付け、
前記ウィンドウ内に表示された前記一部について、前記操作に応じた表示を行う、
処理をコンピュータに実行させることを特徴とする表示制御プログラム。
（付記２）
前記モデルは、メッシュ表現される、
ことを特徴とする付記１に記載の表示制御プログラム。
（付記３）
前記操作は、前記一部を移動、又は、回転、又は、拡縮させる操作を含む、
ことを特徴とする付記１に記載の表示制御プログラム。
（付記４）
前記ウィンドウに前記一部が表示されている際に、表示された前記モデルの他の一部の選択を受け付ける、
ことを特徴とする付記１に記載の表示制御プログラム。
（付記５）
前記ウィンドウに表示された前記一部のうち、他の一部の選択を受け付け、
前記モデル及び前記一部の表示を維持しつつ、前記モデルのうち選択された前記他の一部のみを表示するウィンドウを表示し、
表示された前記他の一部について、表示された前記モデル及び前記一部と独立した操作を受け付け、
表示された前記他の一部について、前記他の一部に対する操作に応じた表示を行う、
ことを特徴とする付記１に記載の表示制御プログラム。
（付記６）
モデル情報に基づいて、モデルを表示部に表示し、
前記モデルの一部の選択を受け付け、
前記モデルの表示を維持しつつ、前記モデルのうち選択された前記一部のみを表示するウィンドウを表示し、
前記ウィンドウ内に表示された前記一部について、表示された前記モデルと独立した操作を受け付け、
前記ウィンドウ内に表示された前記一部について、前記操作に応じた表示を行う、
処理を実行する機能を備えることを特徴とする表示制御装置。
（付記７）
前記モデルは、メッシュ表現される、
ことを特徴とする付記６に記載の表示制御装置。
（付記８）
前記操作は、前記一部を移動、又は、回転、又は、拡縮させる操作を含む、
ことを特徴とする付記６に記載の表示制御装置。
（付記９）
前記ウィンドウに前記一部が表示されている際に、表示された前記モデルの他の一部の選択を受け付ける、
ことを特徴とする付記６に記載の表示制御装置。
（付記１０）
前記ウィンドウに表示された前記一部のうち、他の一部の選択を受け付け、
前記モデル及び前記一部の表示を維持しつつ、前記モデルのうち選択された前記他の一部のみを表示するウィンドウを表示し、
表示された前記他の一部について、表示された前記モデル及び前記一部と独立した操作を受け付け、
表示された前記他の一部について、前記他の一部に対する操作に応じた表示を行う、
ことを特徴とする付記６に記載の表示制御装置。
（付記１１）
モデル情報に基づいて、モデルを表示部に表示し、
前記モデルの一部の選択を受け付け、
前記モデルの表示を維持しつつ、前記モデルのうち選択された前記一部のみを表示するウィンドウを表示し、
前記ウィンドウ内に表示された前記一部について、表示された前記モデルと独立した操作を受け付け、
前記ウィンドウ内に表示された前記一部について、前記操作に応じた表示を行う、
処理をコンピュータが実行することを特徴とする表示制御方法。
（付記１２）
前記モデルは、メッシュ表現される、
ことを特徴とする付記１１に記載の表示制御方法。
（付記１３）
前記操作は、前記一部を移動、又は、回転、又は、拡縮させる操作を含む、
ことを特徴とする付記１１に記載の表示制御方法。
（付記１４）
前記ウィンドウに前記一部が表示されている際に、表示された前記モデルの他の一部の選択を受け付ける、
ことを特徴とする付記１１に記載の表示制御方法。
（付記１５）
前記ウィンドウに表示された前記一部のうち、他の一部の選択を受け付け、
前記モデル及び前記一部の表示を維持しつつ、前記モデルのうち選択された前記他の一部のみを表示するウィンドウを表示し、
表示された前記他の一部について、表示された前記モデル及び前記一部と独立した操作を受け付け、
表示された前記他の一部について、前記他の一部に対する操作に応じた表示を行う、
ことを特徴とする付記１１に記載の表示制御方法。
【符号の説明】
【００６２】
１          端末装置
２          記憶媒体
３          ネットワーク
４          データライブラリ
５          サーバ装置
６          ユーザインタフェース
７          表示制御部
７０１      モデル情報読込部
７０２      全体モデル情報
７０３      表示データ調整部
７０４      全体モデル表示部
７０５      全体表示データ
７０６      回転操作受付部
７０７      部分選択受付部
７０８      別ウインドウ生成部
７０９      データ抽出部
７１０      部分モデル情報
７１１      表示データ調整部
７１２      部分モデル表示部
７１３      部分表示データ
７１４      操作受付部
７１５      終了操作・エクスポート指示受付部
７１６      全体モデル反映部
７１７      反映後全体モデル情報
７１８      エクスポート部
【図１】
2018147036.tif 000003
【図２】
2018147036.tif 000004
【図３】
2018147036.tif 000005
【図４】
2018147036.tif 000006
【図５】
2018147036.tif 000007
【図６】
2018147036.tif 000008
【図７】
2018147036.tif 000009
【図８】
2018147036.tif 000010
【図９】
2018147036.tif 000011
【図１０】
2018147036.tif 000012
【図１１】
2018147036.tif 000013